(57)【要約】【課題】蓋４０と内箱２０とをその動作に関連性を持たせて、蓋を開けた時の感動及び高級感を醸し出し得る安価な組箱Ｐとする。【解決手段】外箱１０と、その外箱内に上下動可能に納めた内箱２０と、外箱にその一側で起伏可能に設けた蓋４０と、内箱の外底面と外箱の内底面１１との間に設けた中敷き５０を有し、中敷きは、昇降板５３の両側端に起伏片５２ａ、５２ｂが外箱内底面に向かってそれぞれ設けられて、その両起伏片の先端は外箱内底面に固定された組箱Ｐである。蓋には、外箱の側壁の開口１９を貫通した後、昇降板に至る樹脂フィルム６０が設けられ、その樹脂フィルムの一端は蓋内面に固定され、同他端は昇降板に固定されている。このため、蓋の開放につれて樹脂フィルムが引かれると、昇降板が、両側端の起伏片の起立に伴い上昇して内箱が持ち上げられる。【選択図】図２
2018177312.tif 000002
【特許請求の範囲】
【請求項１】
外箱（１０）と、その外箱（１０）内に上下動可能に納めた内箱（２０）と、前記外箱（１０）にその一側で起伏可能に設けた蓋（４０）と、前記内箱（２０）の外底面（２１）と外箱（１０）の内底面（１１）との間に設けた中敷き（５０）を有し、
上記中敷き（５０）は、昇降板（５３）の両側端に起伏片（５２ａ、５２ｂ）が上記外箱内底面（１１）に向かってそれぞれ設けられて、その両起伏片（５２ａ、５２ｂ）の先端は前記外箱（１０）の内底面に固定されており、
上記蓋（４０）には、上記外箱（１０）の側壁を貫通した後、上記昇降板（５３）又は起伏片（５２ｂ）に至る可撓性材が設けられて、その可撓性材の一端は蓋（４０）に固定され、同他端は上記中敷き（５０）の昇降板（５３）又は起伏片（５２ｂ）に固定されており、
上記蓋（４０）の開放につれて上記可撓性材が引かれると、上記昇降板（５３）が、両側端の起伏片（５２ａ、５２ｂ）の起立に伴い上昇して上記内箱（２０）が持ち上げられることを特徴とする組箱。
【請求項２】
上記中敷き（５０）は、上記外箱（１０）の内底面に沿って嵌め込み固定された底板（５１）を有し、その底板（５１）に上記昇降板（５３）が上記一方の起伏片（５２ａ）を介して連接され、前記底板（５１）の昇降板（５３）との連接側と反対縁に他方の起伏片（５２ｂ）を設け、その他方の起伏片（５２ｂ）の先端縁を前記昇降板（５３）に連接したことを特徴とする請求項１に記載の組箱。
【請求項３】
上記可撓性材がテープ状樹脂フィルム（６０）からなる請求項１又は２に記載の組箱。
【発明の詳細な説明】
【技術分野】
【０００１】
この発明は、外箱と、その外箱内に納めた内箱と、前記外箱に起伏可能に設けた蓋とを有する組箱に関するものである。
【背景技術】
【０００２】
この種の組箱は、外箱内にさらに内箱があり、その両箱に蓋を被せているため、高級感を醸し出し、化粧品等の詰め合わせ用包装箱等として使用される。
この組箱において、展示時や蓋を開けた時（開放時）、内箱を斜めに持ち上げたり、そのまま持ち上げたりすると、その内箱に納めた商品が見やすく、高級感が増す。
この組箱において、出願人は、蓋と内箱とをその動作に関連性を持たせて、蓋を開けた時の感動及び高級感を醸し出し得るようにした発明を提案した（特許文献１）。
【先行技術文献】
【特許文献】
【０００３】
【特許文献１】特開２０１６−２６９５９号公報
【発明の概要】
【発明が解決しようとする課題】
【０００４】
上記特許文献１記載の組箱は、それなりに好評を得ているが、コストダウンを要求された。
この発明は、その蓋と内箱とをその動作に関連性を持たせて、蓋を開けた時の感動及び高級感を醸し出し得る組箱において、コストダウンを図ることを課題とする。
【課題を解決するための手段】
【０００５】
上記課題を達成するため、この発明は、上記特許文献１記載の組箱において、内箱の押し上げ片を可撓性材としたのである。このとき、可撓性材の一端を蓋に、同他端を中敷きに固定し、蓋の開放に伴う可撓性材の引っ張りによって中敷きを起立させて、内箱を持ち上げる。このように、可撓性材の引っ張り力によって中敷きを起伏させると、外箱内における中敷きの位置が特定されない利点がある。その位置まで、可撓性材を導けば良いからである。
可撓性材は、樹脂フィルム（シートも含む）や紐など安価な材料とすることができるため、コススダウンを図ることができる。
【０００６】
この発明の具体的な構成としては、外箱と、その外箱内に上下動可能に納めた内箱と、外箱にその一側で起伏可能に設けた蓋と、内箱の外底面と外箱の内底面との間に設けた中敷きを有し、その中敷きは、昇降板の両側端に起伏片が外箱内底面に向かってそれぞれ設けられて、その両起伏片の先端は外箱の内底面に固定されており、蓋には、外箱の側壁を貫通した後、昇降板に至る可撓性材が設けられて、その可撓性材の一端は蓋に固定され、同他端は昇降板に固定されており、蓋の開放につれて可撓性材が引かれる（引っ張られる）と、昇降板が、両側端の起伏片の起立に伴い上昇して内箱が持ち上げられる構成を採用することができる。
【０００７】
この構成において、両起伏片の起立高さ（図９のＬ参照）を同じとすれば、内箱は水平を保って持ち上がり、一方、両起立高さを異ならせれば、内箱は傾斜して持ち上げられる。
蓋は、外箱の一側に設けてあれば良く、この発明は、外箱の両側に蓋を設けた両開きの態様も含まれる。このとき、両蓋に対応してそれぞれ中敷きを設け、両蓋の開放に伴って可撓性材を介してそれぞれの中敷きの昇降板を昇降する構成とする。
【０００８】
また、上記中敷きは、上記外箱の内底面に沿って嵌められた底板を有し、その底板が上記昇降板に上記一方の起伏片を介して連接され、前記底板の昇降板との連接側と反対縁に他方の起伏片を設け、その他方の起伏片の先端縁を前記昇降板に連接した構成とすることができる。
可撓性材の端が固定される部分は、昇降板に限らず、起伏片（特にその上部）であったり、蓋をなす、天板、裏板及び側板であったりすることができる。すなわち、蓋の開放につれて、中敷きの昇降板が上昇する位置（部分）であれば、何れでも良く、実験などによって適宜に決定する。
また、その可撓性材は、引っ張られることによって、昇降板を起伏片を介して上昇させるものであれば、何れでも良いが、例えば、紐やフィルム等が考えられる。このとき、テープ状とすることが好ましく、テープ状であると、引っ張り力がテープの長さ方向に確実に働くため、その引き動作が円滑に行われて昇降板（内箱）の昇降が円滑に行われる。紐の場合においても、並行な二本以上の紐であれば、同様な作用を得ることができる。
【発明の効果】
【０００９】
この発明は、以上のように構成したので、蓋を開放することによって内箱が持ち上がるため、従来になかった安価で斬新な組箱となる。
【図面の簡単な説明】
【００１０】
【図１】この発明に係る組箱の一実施形態の斜視図であって、（ａ）は蓋を閉じた状態、（ｂ）は蓋を開けた状態
【図２】同実施形態の切断正面図であって、（ａ）は図１（ａ）の要部部分、（ｂ）は図１（ｂ）の要部部分
【図３】同実施形態を外箱、内箱及び中敷きに分解した斜視図
【図４】同実施形態の内箱の分解斜視図
【図５】同実施形態の外箱ブランクの平面図
【図６】同実施形態の内箱ブランクの平面図
【図７】同実施形態の内箱の中入材ブランクの平面図
【図８】同実施形態の蓋ブランクの平面図
【図９】同実施形態の中敷きブランクの平面図
【図１０】同実施形態の中敷きの作用図
【図１１】同実施形態の作用説明図
【発明を実施するための形態】
【００１１】
この発明に係わる組箱の一実施形態を図１〜図１１に示し、この組箱Ｐは、四角状であって、図１、図３に示すように、平面視四角形状の外箱１０と、その外箱１０内に上下動可能に納めた平面視四角形状の内箱２０と、外箱１０の一側に起伏可能に設けた平面視四角形状の蓋４０と、内箱２０の外底面と外箱１０の内底面との間に介在された中敷き５０とからなる。
【００１２】
外箱１０は、図５に示すボール紙製ブランク１０’から形成し、底板１１、長辺側の外側板１２、同内側板１３、短辺側の外側板１４、同内側板１５、内側板１３の両端のフラップ片１６、長短の両外側板１２、１４の側縁間の襠片１７、及び舌片１８とからなり、それらは折り目線ｒ及び切り目線ｓを介して適宜に連接されている。また、一方の短辺側の内外側板１４、１５の幅方向の中程に四角状開口１９が形成されている。この開口１９の位置は、下記可撓性材６０による内箱２０の昇降度合を考慮して適宜に設定する。以下、各図において、太線が切り目線ｓ、細線が折り目線ｒを示す。
【００１３】
この構成のブランク１０’を、各折り目線ｒ及び切り目線ｓを介して側板１２、１３、１４、１５を順々に谷折り又は山折りし、フラップ片１６は相互の切り目線ｓでもって噛み合わせて図３に示す外箱１０とする。このとき、舌片１８は、粘着テープや貼着によって底板１１に適宜に固定する。この外箱１０は、同図に示すように、長方形をした四角状（平面視四角形状）箱であって、その短辺側の両側壁（側板１４、１５）に上記両開口１９、１９が一致した貫通孔を有するものとなる。
【００１４】
内箱２０は、図６に示すボール紙製ブランク２０’から形成し、底板２１、天板２３、長辺側の側板２２、短辺側の内側板２４、同外側板２５、側板２２の両側のフラップ片２６及び舌片２８とからなり、それらは折り目線ｒを介して適宜に連接されており、折り目線ｒを介して谷折り又は山折りし、舌片２８を係止孔２９’に差し込んで組み立てる。
また、天板２３の適宜な位置には切り目線ｓ及び折り目線ｒが形成されてその切り目線ｓ及び折り目線ｒを介してその部分を押し込むことによって商品Ａの収納用凹部２９を形成するようになっている（図３、図４参照）。
【００１５】
内箱２０には中入材３０が挿入され、その中入材３０は図７に示すボール紙製ブランク３０’から形成し、底板３１、その両側の側板３２、天板３３、その一側の側板３４とからなり、折り目線ｒ及び切り目線ｓを介し、底板３１に対して側板３２を谷折りし、さらに天板３３及び側板３４を山折りして、図４に示す態様とする。側板３２及び天板３３にはその両者の折り目線ｒを跨いで種々の形状の孔３５が形成されており、図４矢印に示すように、この中入材３０を内箱２０内に挿入すると、その孔３５の一部の縁が上記収納用凹部２９における商品Ａの受け部３５ａとなる。
【００１６】
蓋４０は、図８に示すボール紙製ブランク４０’から形成し、天板４１、その長辺側の側板４２、同短辺側の外側板４３及び裏板４４、その短辺側の内側板４５、同長辺側の側板４２’、側板４２、４３の側縁間の襠片４７、及び舌片４８とからなり、それらは折り目線ｒ及び切り目線ｓを介して適宜に連接されている。また、内側板４５と裏板４４の間（折り目線ｒ上）には四角状開口４９が形成されている。この開口４９の位置は、下記可撓性材６０による内箱２０の昇降度合を考慮して側板４５の幅方向に適宜に設定する。
【００１７】
この構成のブランク４０’を、各折り目線ｒを介し、天板４１及び裏板４４に対して側板４２、４２’を谷折り又は山折りして立ち上げ、裏板４４を天板４１に沿わせて内側板４５を谷折りして立ち上げ、裏板４４側の舌片４８を山折りして外側板４３に沿わせる。その両側板４３、４５の両端間に襠片４７を折り畳んで挿入する。この組立途中又は組立前後に、図８に示す点模様部分に糊や両面テープ等によって貼着面を形成し、その部分において対峙する板（片）４３、４８を適宜に貼着する。なお、図中、貼着面を点模様部分で示して図示の裏面とする。しかし、内側板４５に連接する舌片４８の貼着面は図示の表面とする。この蓋４０は、図２、図３に示すように組み立てると、側壁上縁に上記開口４９を有するものとなる。
【００１８】
中敷き５０は、図９に示すボール紙製ブランク５０’から形成し、長方形状の底板５１と、その底板５１の一側に一方の起伏片５２ａを介して連接された昇降板５３とからなる。底板５１の他側には他方の起伏片５２ｂが連接され、その起伏片５２ｂに舌片５４が連接されており、その連接個所に四角状の開口５５が形成されている。それらは折り目線ｒ及び切り目線ｓを介して適宜に連接されており、折り目線ｒ及び切り目線ｓを介し谷折り又は山折りし、舌片５４を昇降板５３の下記透孔５６の裏面手前に貼着して組み立てる。なお、図中、貼着面を点模様部分で示す。
【００１９】
底板５１の周縁には適宜な間隔でもって突起（片）５１ａが設けられており、中敷き５０（底板５１）を外箱１０内に嵌めると、その突起５１ａが外箱１０の側壁内面下部に切り目線ｓで形成された切り起こし孔１８ａに嵌り込んで底板５１（中敷き５０）が外箱１０の底面に固定される（図３参照）。このとき、底板５１（中敷き５０）を外箱１０の底面に貼着することができる。
【００２０】
昇降板５３の他側に四角状の透孔５６が形成されている。この透孔５６の内側昇降板５３の表面に可撓性材であるテープ状樹脂フィルム６０の一端が貼着によって固定され、その樹脂フィルム６０は透孔５６の内側に導かれて起伏片５２ｂと舌片５４の間の開口５５を通り抜け、さらに外箱１０の開口１９を通り抜け、その他端が、さらに蓋４０の開口４９から、蓋４０の天板４１と裏板４４の間に導かれてその内側板４５に固定（貼着）されている。中敷き５０の昇降板５３は、図１０の（ａ）から（ｂ）に示すように起伏片５２ａ、５２ｂが起立すると、底板５１に対して上昇する。
【００２１】
この実施形態の組箱Ｐは以上の構成であり、図３に示すように、外箱１０、内箱２０、蓋４０及び中敷き５０を組み立て、図１、図２に示すように、外箱１０内に、まず中敷き５０を嵌め、樹脂フィルム６０を、その中敷き５０から、その透孔５６、同開口５５、外箱１０の開口１９、蓋４０の開口４９を通して蓋４０に固定する。このとき、蓋４０の外側板４３側の舌片４８を外箱１０（底板１１）の裏面に貼着して、蓋４０を外箱１０に起伏自在（開閉自在）に取り付ける。その後、内箱２０を外箱１０に嵌める。このとき、昇降板５３に内箱２０を貼着等によって固定することができる。
【００２２】
その蓋４０を開けた状態で（図１（ｂ）参照）、内箱２０内に化粧品等の商品Ａを凹部２９に嵌める（収納する）。この状態で蓋４０を閉じれば、その商品Ａを包装した組箱（包装箱）Ｐとなる（図１（ａ））。蓋４０を閉じた状態においては、樹脂フィルム６０に弛みがあると、中敷き５０への引っ張り力が作用しないため、内箱２０が安定して外箱１０内に納まる。
【００２３】
この包装箱Ｐは、図１（ａ）、図２（ａ）に示す蓋４０を閉じた状態から、両図（ｂ）に示すように、蓋４０を開けると（開放すると）、図１１（ａ）から同図（ｂ）、同図（ｃ）に示すように、その蓋４０の開放につれて樹脂フィルム６０が引かれ、中敷き５０の両起伏片５２ａ、５２ｂが起立し、この起立に伴って昇降板５３が上昇して内箱２０が持ち上げられる。
すなわち、内箱２０に収納された全商品Ａがほぼ水平を保って持ち上げられて、蓋４０を開けた者に迫ってくるため、その驚きとともに、その商品Ａの高級感を醸し出す。このため、商品Ａが、口紅やスプレー式香水等の高級感を醸し出す必要があるものにおいて有効な展示方法となる。例えば、ヒト幹細胞培養液（例えば、商品名：プロケアリバーサーセラム）等の高価な化粧品に有効である。
【００２４】
上記実施形態は、片開きの場合であったが、この発明は蓋４０が両開きでも採用し得る。すなわち、特許文献１の組箱において、押し上げ片に代えて、この発明の可撓性材（樹脂フィルム）６０を使用し、中敷き５０はそれぞれの蓋４０、４０に対応させ、その各樹脂フィルム６０を、上記と同様に、その一端をそれぞれの中敷き５０（昇降板５３）に、他端をそれぞれの蓋４０に固定し、両蓋４０の開放に伴って可撓性材６０を介して中敷き５０のそれぞれの昇降板５３を昇降する構成とする（特許文献１段落００１５〜００２８、図１〜図１０参照）。
【００２５】
上記樹脂フィルム６０の端が固定される部分は、昇降板５３に限らず、起伏片５２ｂ（特にその上部）であったり、蓋４０をなす、裏板４４、天板４１であったりすることができる。すなわち、蓋４０の開放につれて、中敷き５０の昇降板５３が上昇する位置（部分）であれば、何れでも良い。
上記中敷き５０は、底板５１が無くても、昇降板５３の両端縁に対の起伏片５２ａ、５２ｂを設け、その両起伏片５２ａ、５２ｂを舌片等を介して底板１１に貼着等によって固定する構造を採用できる。
上記実施形態において、起伏片５２ａを除去して、昇降板５３が斜めに昇降するようにすることができる。このとき、昇降板５３に内箱２０を貼着等によって固定することができる。
【００２６】
この発明に係る組箱の材料は、ボール紙に限らず、プラスチック板、ダンボール紙等の種々のものを採用できる。
また、外箱１０、内箱２０、蓋４０等は、この発明が実施し得る限りにおいて、その平面形状は四角状に限らず、五角形等の種々の多角形のみならず、円形、楕円形、菱形等と任意である。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２７】
１０  外箱
２０  内箱
４０  蓋
５０  中敷き
５２ａ、５２ｂ  中敷きの起伏片
５３  中敷きの昇降板
６０  可撓性材（樹脂フィルム）
Ａ  商品
Ｐ  組箱
ｒ  折り目線
ｓ  切り目線
【図１】
2018177312.tif 000003
【図２】
2018177312.tif 000004
【図３】
2018177312.tif 000005
【図４】
2018177312.tif 000006
【図５】
2018177312.tif 000007
【図６】
2018177312.tif 000008
【図７】
2018177312.tif 000009
【図８】
2018177312.tif 000010
【図９】
2018177312.tif 000011
【図１０】
2018177312.tif 000012
【図１１】
2018177312.tif 000013
【手続補正書】
【提出日】平成29年7月5日(2017.7.5)
【手続補正１】
【補正対象書類名】特許請求の範囲
【補正対象項目名】請求項１
【補正方法】変更
【補正の内容】
【請求項１】
外箱（１０）と、その外箱（１０）内に上下動可能に納めた内箱（２０）と、前記外箱（１０）にその一側で起伏可能に設けた蓋（４０）と、前記内箱（２０）の外底面（２１）と外箱（１０）の内底面（１１）との間に設けた中敷き（５０）を有し、
上記中敷き（５０）は、昇降板（５３）の両側端に起伏片（５２ａ、５２ｂ）が上記外箱内底面（１１）に向かってそれぞれ設けられて、その両起伏片（５２ａ、５２ｂ）の先端は前記外箱（１０）の内底面に固定されており、
上記蓋（４０）には、上記外箱（１０）の側壁を貫通した後、上記昇降板（５３）又は起伏片（５２ｂ）に至る可撓性材が設けられて、その可撓性材の一端は蓋（４０）に固定され、同他端は上記中敷き（５０）の昇降板（５３）又は起伏片（５２ｂ）に固定されており、
上記蓋（４０）の開放につれて、上記可撓性材が蓋（４０）側に引かれると、その引かれに伴って上記中敷き（５０）の両起伏片（５２ａ、５２ｂ）が起立し、上記昇降板（５３）が、両側端の前記起伏片（５２ａ、５２ｂ）の起立に伴い上昇して上記内箱（２０）が持ち上げられることを特徴とする組箱。
【手続補正２】
【補正対象書類名】明細書
【補正対象項目名】００２３
【補正方法】変更
【補正の内容】
【００２３】
この包装箱Ｐは、図１（ａ）、図２（ａ）に示す蓋４０を閉じた状態から、両図（ｂ）に示すように、蓋４０を開けると（開放すると）、図１１（ａ）から同図（ｂ）、同図（ｃ）に示すように、その蓋４０の開放につれて、樹脂フィルム６０が蓋４０側に引かれ、その引かれに伴って中敷き５０の両起伏片５２ａ、５２ｂが起立し、この起立に伴って昇降板５３が上昇して内箱２０が持ち上げられる。
すなわち、内箱２０に収納された全商品Ａがほぼ水平を保って持ち上げられて、蓋４０を開けた者に迫ってくるため、その驚きとともに、その商品Ａの高級感を醸し出す。このため、商品Ａが、口紅やスプレー式香水等の高級感を醸し出す必要があるものにおいて有効な展示方法となる。例えば、ヒト幹細胞培養液（例えば、商品名：プロケアリバーサーセラム）等の高価な化粧品に有効である。